(57)【要約】  【課題】天板面上の作業領域を徒に縮減してしまうことなく、配線口その他の諸機能を簡便に付与し得るような天板付家具を実現する。  【解決手段】天板２を家具本体１に支持させてなる天板付家具Ｄにおいて、前記天板２を、天板本体２１と、天板本体２１の外周部に着脱自在に装着されて当該天板２の所定の縁辺を形作る縁端体２２とを具備するものとした。  【選択図】図３
2006101923.tif 000002
【特許請求の範囲】
【請求項１】
天板を家具本体に支持させてなる天板付家具であって、
前記天板が、天板本体と、天板本体の外周部に着脱自在に装着されて天板本体とは異なる機能をも担うとともに当該天板の所定の縁辺を形作る縁端体とを具備する天板付家具。
【請求項２】
前記縁端体の上面が前記天板本体の上面と略面一である請求項１記載の天板付家具。
【請求項３】
前記縁端体が略直線状に連続する縁辺を形作る請求項１または２記載の天板付家具。
【請求項４】
前記縁端体が複数の縁端部材からなり、各縁端部材がそれぞれ前記天板本体に対して着脱自在となっている請求項１、２または３記載の天板付家具。
【請求項５】
前記縁端体の一部または全部をなす複数の縁端部材が互いに相異なる機能を提供する請求項４記載の天板付家具。
【請求項６】
前記縁端部材の少なくとも一は、他の家具等に当接させ得る剛性を有する当接部として機能する請求項４または５記載の天板付家具。
【請求項７】
前記縁端部材の少なくとも一は、可撓性を有する可撓部として機能する請求項４、５または６記載の天板付家具。
【請求項８】
前記縁端部材の少なくとも一は、所定のオプション品を支持する支持部として機能する請求項４、５、６または７記載の天板付家具。
【発明の詳細な説明】
【技術分野】
【０００１】
本発明は、デスクに代表される天板付家具に関する。
【背景技術】
【０００２】
オフィスのＯＡ化、ＩＴ化に伴い、オフィスワークにパーソナルコンピュータやその他の情報通信機器を使用することが普遍的となった。近時のオフィス向けのデスクには、それらの機器に接続するコード類（給電コード、通信ケーブル等）を好適に配線するための機能が付帯していることが多い。例えば、下記特許文献には、天板下の空間に連通し、天板上に載置される各種の機器に接続するコード類を挿通し得るような配線口が形成されたデスクが開示されている。このような配線口は、通常、天板の後端部に形成され、平時にはその一部または全部を閉止する蓋体が装着される。また、必要に応じて配線口にコンセント等を嵌装することも可能となっている。
【特許文献１】特開平１０−１１７４１９号公報
【発明の開示】
【発明が解決しようとする課題】
【０００３】
しかしながら、上記例の如き配線口をデスクに設けるためには、周縁の閉じた開口を天板面に穿ち、さらにその開口縁を縁取りする樹脂部材を装着する等の特段の工程が必要となる。並びに、この配線口は基本的にコード類を配線する目的でのみ利用可能であって、用途のバリエーションに乏しいという弱みもある。加えて、配線口を閉止する蓋体や配線口を縁取る樹脂部材等は天板面より突出する傾向にあり、故に配線口の存在が天板面上の利用可能な作業領域を狭めてしまうきらいがある。このことは、天板の奥行寸法が比較的短小である場合に問題となる。
【０００４】
以上に鑑みてなされた本発明は、天板面上の作業領域を徒に縮減してしまうことなく、配線口その他の諸機能を簡便に付与し得るような天板付家具を実現しようとするものである。
【課題を解決するための手段】
【０００５】
上述した課題を解決するべく、本発明では、天板を家具本体に支持させてなるものであって、前記天板が、天板本体と、天板本体の外周部に着脱自在に装着されて天板本体とは異なる機能をも担うとともに当該天板の所定の縁辺を形作る縁端体とを具備する天板付家具を構成した。このようなものであれば、天板本体に任意の縁端体を装着することができる。そして、縁端体に種々の機能を付帯させておけば、縁端体の交換を通じて天板付家具に所要の機能を付与することが可能となる。しかも、天板面に周縁の閉じた開口を形成する場合のように、徒に天板面上の作業領域を狭めてしまうようなこともない。
【０００６】
さらに、前記縁端体の上面が前記天板本体の上面と略面一であるならば、天板本体のみならず縁端体をも作業領域の一部とすることができ、作業領域を実効的に拡張し得る。
【０００７】
オフィス等では、複数の天板付家具をいわゆる島型配置によって集合させていることが多い。島型配置では、複数の天板付家具の天板の縁辺同士を突き合わせた状態に配置する。従って、前記縁端体は、略直線状に連続する縁辺を形作るものであることが好ましいと言える。
【０００８】
前記縁端体が複数の縁端部材からなり、各縁端部材がそれぞれ前記天板本体に対して着脱自在となっているならば、縁端体の一部分のみを交換することが可能となる。
【０００９】
並びに、縁端部材毎に相異なる機能を付帯させることもできる。前記縁端体の一部または全部をなす複数の縁端部材が互いに相異なる機能を提供するものであるならば、縁端部材の組み合わせによって広範な機能のバリエーションを具現できる。
【００１０】
前記縁端部材の少なくとも一は、他の家具、什器または部屋の壁面等に当接させ得る剛性を有する当接部として機能するものとすることが好ましい。
【００１１】
前記縁端部材の少なくとも一は、可撓性を有する可撓部として機能するものとすることが好ましい。可撓部として機能する縁端部材を天板本体に装着した場合、天板上に載置される各種の機器に接続するコード類をこの可撓部を介して天板下に導くことが可能となる。
【００１２】
また、前記縁端部材の少なくとも一は、所定のオプション品を支持する支持部として機能するものとすることが好ましい。ここで、オプション品とは、給電コードのプラグが差し込まれるコンセント、通信ケーブルのプラグが差し込まれるコネクタ（または、モジュラージャック）、タスクライト（照明器具）、メモ用紙を置くことができるメモ台、電話機を置くことができる電話台等の、天板付家具とともに使用することができる什器や器具等を包括する概念である。オプション品を支持する支持部は、オプション品自体と別個のものであるとは限られず、オプション品の一部をなしていても構わない。
【発明の効果】
【００１３】
本発明によれば、天板面上の作業領域を徒に縮減してしまうことなく、種々の機能を天板付家具に簡便に付与することが可能となる。
【発明を実施するための最良の形態】
【００１４】
以下、本発明の一実施形態を、図面を参照して説明する。なお、説明中、天板付家具たるデスクＤを使用するユーザが着座する使用端側を前方、反使用端側を後方と定義している。
【００１５】
本実施形態の天板付家具たるデスクＤ（または、袖机）を、図１、図２に示す。このデスクＤは、オフィス等において用いられるものであって、天板２と、天板２を下方より支持する家具本体１とを具備する。
【００１６】
家具本体１は、一方側にあって天板２を支持する脚側板１１と、他方側にあって天板２を支持する袖構造体１２と、後方にあって下肢空間を隠蔽する幕板１３とを主要な構成要素とする。
【００１７】
袖構造体１２は、天板２に一体的に結合した筐体１２１を主体とする。筐体１２１は、一または複数の抽斗１２２を収容し得る内部空間を内包する。筐体１２１の前面は開口し、内部空間と外部とを連通しているが、側方及び後方からは遮蔽している。抽斗１２２は、鏡板の後背に収納空間を包囲する底壁、側壁及び後壁を配設したもので、筐体１２１内に押し入れればその鏡板のみが正面に現れる状態となり、筐体１２１より引き出せば上方に開放した収納空間を露出させることができる。但し、家具本体１がこのような袖構造体１２を備えているとは限られず、両側に脚側板１１を配して天板２を支持するものとしても構わない。
【００１８】
幕板１３は、脚側板１１及び袖構造体１２の対向面間に固定してあるもので、その上端面を天板２下面よりも低い位置に設定して天板２と幕板１３との間に間隙を設けている。この間隙を利用すれば、天板２上に載置される各種の機器に接続するコード類を（後述する天板２の可撓部２２２を介して）下肢空間に導き入れることが可能である。
【００１９】
脚側板１１の後面、袖構造体１２の後面及び幕板１３の後面は概ね面一となっており、家具本体１の後縁を規定している。因みに、本実施形態では、家具本体１の一部をなす袖構造体１２の筐体１２１の後面に一または複数のスロット穴１２３を穿っている。スロット穴１２３は、例えば、背面視幅方向に拡張する方形状をなす長穴である。既知のクランプ装置（図示せず）をデスクＤに取り付ける際には、クランプ装置の爪の一方をこのスロット穴１２３に挿入し、他方を天板２面に設置して、両方の爪で挟みつければよい。勿論、天板２と幕板１３との間の間隙を利用して、クランプ装置を取り付けることも可能である。
【００２０】
天板２は、平面視略矩形状の外形をなしており、その後端を家具本体１の後縁よりも後方に突き出させてある。この天板２は、天板本体２１の後部に縁端体２２を装着したものである。
【００２１】
縁端体２２は、天板本体２１に対して個別に着脱可能な複数の縁端部材２２１、２２２、２２３、２２４、２２５を要素として構成される。図１ないし図４に示している基本態様では、縁端部材として、当接部として機能する部材２２１と、可撓部として機能する部材２２２とを用いている。
【００２２】
当接部２２１は、他のデスク等の家具、パーティション等の什器または部屋の壁面に当接させ得る剛性を有する部位である。図示例では、天板本体２１の後部における左右両側端に当接部となる縁端部材２２１を装着しており、かつこれら縁端部材２２１を天板２の幅方向の中心軸に対称に配置してある。当接部２２１の上面は、天板本体２１の上面と略面一とする。縁端部材２２１の天板本体２１への取り付けの態様は特に限定されないが、例えば、当接部として機能する縁端部材２２１を天板本体２１の後向面にボルト等を使用して締着し固定する。
【００２３】
可撓部２２２は、可撓性を有する部位である。図示例では、左右両側に対をなす当接部２２１の間の領域に、当接部２２１に隣接させて装着してある。図４に示すように、可撓部として機能する縁端部材２２２は、撓み変形容易な軟質樹脂を素材とし、天板２の幅方向に沿って延伸する側断面視中空な射出成形品であって、例えば前方部位に比較的硬い樹脂を用い、その他の部位に比較的軟らかい樹脂を用いて二色成形してなる。縁端部材２２２の前方部位には、互いに相寄るように上下に突出する突条２２２ａを形成してある。縁端部材２２２の天板本体２１への取り付けの態様もまた特に限定はされないが、例えば、天板本体２１の後向面に予めボルト等を使用して固定しておいたブラケット２３の上下端に突条２２２ａを係合させるようにして嵌め込み装着する。撓み変形していない状態で、可撓部２２２の上面は、天板本体２１の上面と略面一となる。なお、縁端部材２２２の上面は平滑面であるとは限られない。図示例では、縁端部材２２の上面に凹溝２２２ｂが彫られている。縁端部材２２２の下面は水平方向に対して傾斜しており、縁端部材２２２の外形の厚みは後方に向かうにつれて徐々に薄くなる。これにより、上から押された場合に縁端部材２２２がスムーズに下方に撓み変形する。因みに、可撓部として機能する縁端部材２２２は単一であってもよく、複数であってもよい。
【００２４】
縁端部材２２１、２２２、２２３、２２４、２２５を要素としてなる縁端体２２は、天板本体２１に装着されて天板２の後端縁を形作る。図１ないし図４に示している基本態様では、当接部２２１の後縁と可撓部２２２の後縁とが連続し、略一直線状の後端縁を形作っている。
【００２５】
このデスクＤは、天板２の後端縁にある当接部２２１を他のデスク等の家具、パーティション等の什器、または部屋の壁面に突き当てた状態に配置することで可撓部２２２に覆われた配線口を簡便に構築できるという特長を有する。とりわけ、図５に示すように、同種のデスクＤの天板２の後端縁同士を突き合わせた状態に配置すれば、周縁の閉じた配線口を天板２面に現出させることができる。天板本体２１、当接部２２１及び可撓部２２２の各々の上面は略面一であり、総体として広大な作業領域を提供し得る。従って、天板２の奥行寸法を多少短めに設定したとしても十分な作業領域が担保され、ユーザの使い勝手は損なわれない。また、天板２の後端縁が家具本体１の後縁よりも後方に突き出ていることから、家具本体１の背後にある空間、即ち両デスクＤの幕板１３間に位置する領域を配線空間して利用することができる。当該領域は側方に開放しているため、コード類を幅方向に沿って容易に配線することもできる。さらに、このときには、着座して作業を行うユーザの下肢と配線したコード類とが干渉し合うことを回避できる。
【００２６】
しかして、本実施形態では、天板２の後端縁を形作る縁端体２２の構成要素である縁端部材を適宜に交換することができる。例えば、図６に示すように、当接部２２１及び可撓部２２２の配置を変更することができる。この例では、天板２の幅方向の中間部位にさらに当接部２２１を設けて、天板２の後端を補強している。加えて、図７に示すように幅方向の略全域を可撓部２２２としてもよく、あるいは、図８に示すように幅方向の略全域を当接部２２１としてもよい。
【００２７】
さらに、縁端体２２を構成する一部に、所要のオプション品３、４、５を支持する支持部として機能する縁端部材２２３、２２４、２２５を用いることも可能である。例えば、図９に示すように、コンセント３を支持する部材２２３を装着すれば、デスクＤにコンセント３を付加することができる。図１０に示すように、タスクライト４を支持する部材２２４を装着すれば、デスクＤにタスクライト４を付加することができる。並びに、図１１に示すように、電話台５を支持する部材２２５を装着すれば、デスクＤに電話台５を付加することができる。これらコンセント３、タスクライト４、電話台５等のオプション品を支持する縁端部材２２３、２２４、２２５は、オプション品３、４、５と別体をなす部材であってもよく、オプション品３、４、５の一部をなしていてもよい。縁端部材２２３、２２４、２２５の天板本体２１への取り付けの態様は特に限定されないが、例えば当接部として機能する縁端部材２２１の取付方法に準ずるものとする。縁端部材２２３、２２４、２２５も、縁端部材２２１、２２２と同様、その上面が天板本体２１の上面と略面一となっていることが好ましい。
【００２８】
因みに、縁端部材を交換することにより、天板２全体の奥行寸法を拡縮することも考えられる。
【００２９】
本実施形態によれば、天板２を家具本体１に支持させてなるものであって、前記天板２が、天板本体２１と、天板本体２１の外周部に着脱自在に装着されて天板本体２１とは異なる機能をも担うとともに当該天板２の所定の縁辺即ち後端縁を形作る縁端体２２とを具備するデスクＤを構成し、天板本体２１に任意の縁端体２２を装着できるようにした。従って、縁端体２２に種々の機能を付帯させておくことにより、縁端体２２の交換を通じてデスクＤに所要の機能を付与することが可能となる。しかも、天板２面に周縁の閉じた開口を形成する場合のように、徒に天板２面上の作業領域を狭めてしまうようなこともない。
【００３０】
前記縁端体２２の上面が前記天板本体２１の上面と略面一であるため、天板本体２１のみならず縁端体２２をも作業領域の一部とすることができ、作業領域を実効的に拡張し得る。
【００３１】
前記縁端体２２が略直線状に連続する後端縁を形作るため、複数のデスクＤの天板２の後端縁同士を突き合わせて配置する際に支障が生じない。
【００３２】
前記縁端体２２が複数の縁端部材２２１、２２２、２２３、２２４、２２５からなり、各縁端部材２２１、２２２、２２３、２２４、２２５がそれぞれ前記天板本体２１に対して着脱自在となっているため、縁端体２２の一部分のみを交換することができる。
【００３３】
そして、前記縁端体２２の一部または全部をなす複数の縁端部材２２１、２２２、２２３、２２４、２２５が互いに相異なる機能を提供するものであれば、縁端部材２２１、２２２、２２３、２２４、２２５の組み合わせによって広範な機能のバリエーションを具現できる。
【００３４】
前記縁端部材の少なくとも一が、他のデスクＤ等に当接させ得る剛性を有する当接部２２１として機能するため、デスクＤを島型配置する場合等において有効となる。
【００３５】
前記縁端部材の少なくとも一が、可撓性を有する可撓部２２２として機能するため、天板２上に載置される各種の機器に接続するコード類をこの可撓部を介して天板２下に導き入れることが可能となっている。
【００３６】
前記縁端部材の少なくとも一が、所定のオプション品３、４、５を支持する支持部２２３、２２４、２２５として機能するため、デスクＤに種々のオプション品を容易に装備することができる。
【００３７】
なお、本発明は以上に詳述した実施形態に限られるものではない。特に、縁端体２２（または、縁端部材２２１、２２２、２２３、２２４、２２５）を、天板本体２１の後部以外の部位に装着することが考えられる。例えば、天板本体２１の左側部及び／または右側部に縁端体２２を装着することができる。このときには、縁端体２２が、天板２の側端縁を形作るものとなる。
【００３８】
また、可撓部として機能する縁端部材２２２の素材は、軟質樹脂には限られない。例えば、縁端部材が、刷毛のようなものであっても構わない。
【００３９】
その他各部の具体的構成は上記実施形態に限られるものではなく、本発明の趣旨を逸脱しない範囲で種々変形が可能である。
【図面の簡単な説明】
【００４０】
【図１】本発明の一実施形態における天板付家具を示す斜視図。
【図２】同斜視図。
【図３】同実施形態における天板を示す平面図。
【図４】同実施形態における天板を示す要部側断面図。
【図５】同実施形態の天板付家具の使用例を示す斜視図。
【図６】同実施形態の天板付家具の使用例の一を示す平面図。
【図７】同実施形態の天板付家具の使用例の一を示す平面図。
【図８】同実施形態の天板付家具の使用例の一を示す平面図。
【図９】同実施形態の天板付家具の使用例の一を示す平面図。
【図１０】同実施形態の天板付家具の使用例の一を示す平面図。
【図１１】同実施形態の天板付家具の使用例の一を示す平面図。
【符号の説明】
【００４１】
Ｄ…天板付家具（デスク）
１…家具本体
２…天板
２１…天板本体
２２…縁端体
２２１、２２２、２２３、２２４、２２５…縁端部材
３、４、５…オプション品
【図１】
2006101923.tif 000003
【図２】
2006101923.tif 000004
【図３】
2006101923.tif 000005
【図４】
2006101923.tif 000006
【図５】
2006101923.tif 000007
【図６】
2006101923.tif 000008
【図７】
2006101923.tif 000009
【図８】
2006101923.tif 000010
【図９】
2006101923.tif 000011
【図１０】
2006101923.tif 000012
【図１１】
2006101923.tif 000013